(57)【要約】      （修正有）【課題】木を守ることができ、自然にやさしい、昆虫のカシノナガキクイムシの捕獲器を提供する。【解決手段】上部にはめ込み式の雨傘を付けたアサガオ形、すり鉢型の２〜３重の容器１と下部にはナラの木の切片とナラの木の凝縮した臭いの水溶液を入れた容器を用意して、上部の容器１には匂いに引き寄せられて入ってきた昆虫のカシノナガキクイムシを容器の内側面に付けた粘着剤で捕獲するとともに、下部の容器に入って来れば水に浸かり、容器の内側の形状により上がれなくなり、水死することを特徴とする。【選択図】図１
0003213824.tif 000002
【実用新案登録請求の範囲】
【請求項１】
上部にはめ込み式の雨傘を付けたアサガオ形、すり鉢型の２〜３重の容器と下部にはナラの木の切片とナラの木の凝縮した臭いの水溶液を入れた容器を用意して、上部の容器には匂いに引き寄せられて入ってきた昆虫のカシノナガキクイムシを容器の内側面に付けた粘着剤で捕獲するとともに、下部の容器に入って来れば水に浸かり、容器の内側の形状により上がれなくなり、水死することを特徴とする、昆虫のカシノナガキクイムシの捕獲器。
【考案の詳細な説明】
【技術分野】
【０００１】  昆虫のカシノナガキクイムシによるナラ枯れ被害が発生して、大きな樹木を枯れ死させる被害が各地で発生しているが決定的な予防策がないのが現状である。そのカシノナガキクイムシを捕獲することに関することである。
【背景技術】
【０００２】  ナラ枯れの原因となる昆虫のカシノナガキクイムシを根絶さすものは、現在、存在しない。
【先行技術】
【０００３】１、いろいろな薬剤を散布する。だだし雨が降ると効果がなくなる。土壌や苔類に薬害被害をもたらす。
２、「カシナガトラップ」というペットボトルを利用した器具。カシノナガキクイムシを誘引して捕獲する器具。落とし穴方式の器具であるが決定的なものではない。現在、奈良の寺社で実験している。
３、植木屋や研究者が幹を叩いて、虫が進入しているかを音で見分けて幹の空洞部分を見つけて、そこへ薬品や樹脂などを注入したり、削ったりする方法。しかし、虫を忌避させ、進入を防ぐ方法ではない。
４、昆虫が嫌う植物をナラの木の周りに植えておく。更に、昆虫が嫌う植物を植木鉢に植えてナラの木の周りに置いておく。
【考案の概要】
【０００４】  カシノナガキクイムシを捕獲するためにカシノナガキクイムシが好むナラの木の切片とナラの木の臭いを凝縮した水溶液を下段の容器に入れておき、その上にアサガオ形、すり鉢型の２〜３重の容器の中へおびき寄せて、中へ入ってきたら容器の中の内側面に付けて置いた粘着剤で捕え、更に、その下に置いた容器の水溶液の中に入ってきて、外に出られないようにして捕獲する、昆虫のシノナガキクイムシの捕獲器。
【考案が解決しようとする課題】
【０００５】  近年、ナラ枯れ被害が生駒山山系、金剛山系にわたる広範囲で確認されている。本州、四国、九州にも被害がある。カシノナガキクイムシ（カシナガ）（Ｐｌａｔｙｐｕｓ  ｑｕｅｒｃｉｖｏｒｕｓ）が媒介するナラ菌により、ミズナラなどが集団的に枯損する「ナラ枯れ」が発生して大きな樹木を枯れ死させる被害が各地で拡大している。原因は昆虫目；ナガキクイムシ科の昆虫である。成虫の体長は５ミリ程度の円筒形であり、大径木の内部に穿孔して棲息する。穿孔された樹木は急速に枯れ死する。枯れの原因はラファエレア菌（ナラ菌）が繁殖して、生立木の樹木内に運び込む水の吸い上げを阻害することによるものである。このカシノナガキクイムシの被害の防止を早急に考えて実施しなければ日本の財産である何百年と生きた樹木が枯れ死をして、大変なことになるのでそのカシノナガキクイムシの捕獲対策が急務である。
【考案が解決するための手段】
【０００６】  本考案は雨よけの傘を付けたアサガオ形、すり鉢型の２〜３重にした容器の上段の上部部分とそれを受ける下段の下部の部分の大きな容器で構成して、上部の容器の内側面には粘着剤を塗っておき、下部の容器には昆虫をおびき寄せるためにナラの木の臭いの凝縮した水溶液とナラ材の切片を入れておくことにより、ナラの木の匂いでカシノナガキクイムシをおびき寄せ、粘着剤で捕え、下の容器の中に入ってきたら水没して出られなくなる。更に、最上段には雨の水を避けるために、はめ込み式の傘を付けておくことにより、粘着剤の劣化を防ぐことを特徴とする、昆虫のカシノナガキクイムシの捕獲器。
【考案の効果】
【０００７】  本考案を木の幹や根の周りに設置することにより、有害な昆虫であるカシノナガキクイムシから木を守ることができて、ナラ枯れを防ぐことにつながるとともに、薬害などの公害も生まず自然にやさしい、昆虫のカシノナガキクイムシの捕獲装置。
【図面の簡単な説明】
【０００８】
【図１】正面図
【図２】側面図
【図３】上からの図
【図４】昆虫が入ってきた図
【図５】昆虫が水に浸かった図
【図６】粘着剤に昆虫がひかった図
【図７】雨が降った図
【符号の説明】
【０００９】▲１▼  あさがお形、すり鉢型の容器
▲２▼  昆虫の入口
▲３▼  ナラ材の切片
▲４▼  ナラ材のエキスが入った溶液
▲５▼  粘着剤
▲６▼  雨をよける傘
▲７▼  土台〈重し〉
▲８▼  雨、水
▲９▼  傘を支える支柱
▲１０▼  昆虫のカシノナガキクイムシ
▲１１▼  ナラ材の臭いの凝縮した液が入った下段の容器
【考案を実施するための形態】
【００１０】１、  本考案の容器をナラの木、特に根のはった大きな大木の周りに置く。また、ナラの木の幹に細かいメッシュの網を巻いたり、根の上にメッシュの網を置いたりして、その網の上に置く。
２、ナラの木の臭いを濃縮した水溶液やナラの木の切片の臭いを点検して、古くなれば新しいのに交換する。
３、容器の中の粘着剤が古くなると粘着剤の新しいのに塗ったり、接着さしたりして交換する。
４、カシノナガキクイムシがたくさん入って来れば、容器を清掃して新しくする。
【産業上の利用可能性】
【００１１】  今、日本の山は「ナラ枯れ」被害が急速に広がっている。その原因はナガキクイムシ科の昆虫が大径木の内部に穿孔してナラ菌を繁殖させて、生立木の樹木内に運び込む水の吸い上げを阻害するためである。何百年と生きてきた大木が枯れていくという大変な事態になっている。本考案を使用して大木の幹に近づくカシノナガキクイムシを捕えることはナラ枯れ被害をくい止めることに寄与し、日本の山を守ることに貢献する。
0003213824.tif 000003
【図３】
0003213824.tif 000004
【図４】
0003213824.tif 000005
【図５】
0003213824.tif 000006
【図６】
0003213824.tif 000007
【図７】
0003213824.tif 000008
【手続補正書】
【提出日】平成29年9月12日(2017.9.12)
【手続補正３】
【補正対象書類名】図面
【補正対象項目名】全図
【補正方法】変更
【補正の内容】
【図１】
0003213824.tif 000009
【図２】
0003213824.tif 000010
【図３】
0003213824.tif 000011
【図４】
0003213824.tif 000012
【図５】
0003213824.tif 000013
【図６】
0003213824.tif 000014
【手続補正４】
【補正対象書類名】明細書
【補正対象項目名】０００８
【補正方法】変更
【補正の内容】
【０００８】
【図１】正面図
【図２】側面図
【図３】上からの図
【図４】斜め図
【図５】下段の容器に昆虫が入ってきて、水に浸かり出られなくなった図
【図６】雨が降った図と昆虫が粘着剤に引っかかった図
【手続補正５】
【補正対象書類名】明細書
【補正対象項目名】０００９
【補正方法】変更
【補正の内容】
【０００９】▲１▼  上部がアサガオ形、丸形、又は４〜８角形で、下部がすり鉢形、じょうご型状の形状の容器▲２▼  下段の大きな容器▲３▼  昆虫の入口▲４▼  ナラ材の切片▲５▼  ナラ材の臭いを凝縮した水溶液▲６▼  カシノナガキクイムシなどの昆虫が木に穿入した穴から出た木屑（フラス）▲７▼  粘着剤▲８▼  雨をよける傘▲９▼  雨、水▲１０▼  支柱▲１１▼  ナガキクイムシなどの昆虫▲１２▼  上部の容器を下部の容器に入れるための当て材のパッキン▲１３▼  蓋